(57)【要約】【課題】白黒／カラー混在ＰＤＬデータを、白黒プリンタ処理とカラープリンタ処理とに適切に分ける画像プリントシステムにおいて、ユーザがインサート用紙を間違った向きでセットすることを回避することができる画像プリントシステムを提供することを目的とするものである。【解決手段】サムネイル画像の作成手段をプリントサーバに設け、プリント出力すべきサムネイル画像を作成し、後半に実行するインサートプリントを開始する前に、インサータまたは手差しトレイにセットする向きに合わせて、実際にプリント出力するサムネイル画像を表示する手段を有する画像プリントシステムである。【選択図】  図１
2004234048.tif 000002
【特許請求の範囲】
【請求項１】
コンピュータからの入力画像をカラーでプリント出力するカラープリンタと、コンピュータからの入力画像を白黒でプリント出力する白黒プリンタと、コンピュータからの入力プリントデータを画像データに変換し、変換した画像データを上記カラープリンタと上記白黒プリンタとに送信し、プリント出力させるプリントサーバとを具備する画像プリントシステムにおいて、
上記プリントサーバは、
上記入力プリントデータが、白黒ページとカラーページとが混在しているプリントデータであるか否かを判別する判別手段と；
上記入力プリントデータが白黒／カラーの混在データである場合に、白黒ページとカラーページとに分割する白黒／カラーのページ分割手段と；
上記入力プリントデータ内で、白黒ページとカラーページとの並び順を記憶するページ順記憶手段と；
白黒ページを上記白黒プリンタにプリント出力し、カラーページを上記カラープリンタにプリント出力することが可能であり、白黒／カラー混在プリントデータについて、白黒ページ、カラーページのいずれか一方のみを先にプリント出力し、この出力結果をインサートしながら、他方をプリント出力するプリント出力制御手段と；
画像データを縮小してサムネイル画像を作成するサムネイル作成手段と；
を有し、上記白黒プリンタ、カラープリンタの少なくとも一方は、サムネイル画像を表示し、上記白黒プリンタまたは上記カラープリンタは、上記インサートプリントの開始前に、インサートするプリントの置き向きに合わせて、サムネイル画像を表示することを特徴とする画像プリントシステム。
【発明の詳細な説明】
【０００１】
【発明の属する技術分野】
本発明は、白黒／カラー混在のＰＤＬデータを処理するプリントシステムに関する。
【０００２】
【従来の技術】
ネットワークを介して、クライアントコンピュータから受信したＰＤＬデータをビットマップに展開し、高速にプリントアウトする機能を具備する白黒デジタル複写機や白黒プリンタが知られている。これと同様に、ＰＤＬデータをビットマップに展開し、カラープリントアウトする機能を具備するカラー複写機やカラープリンタも知られている。
【０００３】
これらの複写機やプリンタには、ステイプルやパンチ穴あけ、製本綴じ等の処理を行うフィニッシャや、定着器を通さずに表紙や合紙を出力束内に挿入するインサータ、ＯＨＰシートや特殊紙等を給紙する手差しトレイ等が装備され、クライアントコンピュータからプリント要求を発行する際にも、これらの装備の使用を設定することができる。
【０００４】
これらに加え、クライアントコンピュータから受信した白黒／カラー混在のＰＤＬデータを、一旦、プリントサーバで受け、そこで白黒ページとカラーページとに振り分け、一方を先にプリントアウトした後に、そのプリント出力を他方のインサータ（または手差し給紙トレイ）にセットし、適宜挿入しながら、プリントアウトすることによって、白黒／カラー混在データを効率的にプリントアウトする画像プリントシステムが提案されている（たとえば、特許文献１参照）。
【０００５】
【特許文献１】
特開２００１−１４７７９３
【０００６】
【発明が解決しようとする課題】
しかし、上記従来の画像プリントシステムにおいては、先にプリントアウトした出力用紙を、人の手で他方のインサータにセットする工程が残るので、どうしても間違いが起こりやすいという問題がある。
【０００７】
たとえば、出力用紙を間違った方向で、インサータに置くと、最悪、全ての最終プリントアウトが終了した後に、白黒ページとカラーページとの間で、互いに向きが違うことに気付くか、処理の途中で気付いたとしても、プリントアウト済の最終出力を全て破棄し、インサータにセットする側のプリントアウトから（全てではないにせよ）やり直す必要があるという問題がある。
【０００８】
本発明は、白黒／カラー混在ＰＤＬデータを、白黒プリンタ処理とカラープリンタ処理とに適切に分ける画像プリントシステムにおいて、ユーザがインサート用紙を間違った向きでセットすることを回避することができる画像プリントシステムを提供することを目的とするものである。
【０００９】
【課題を解決するための手段】
本発明は、サムネイル画像の作成手段をプリントサーバに設け、プリント出力すべきサムネイル画像を作成し、後半に実行するインサートプリントを開始する前に、インサータまたは手差しトレイにセットする向きに合わせて、実際にプリント出力するサムネイル画像を表示する手段を有する画像プリントシステムである。
【００１０】
【発明の実施の形態および実施例】
図１は、本発明の一実施例である画像プリントシステムＰＳ１の全体構成を示す図である。
【００１１】
画像プリントシステムＰＳ１は、クライアントコンピュータ１０１と、プリントサーバ１０２と、カラー複写機１０３と、白黒デジタル複写機（以下、単に「白黒複写機」という）１０４と、ネットワーク１０５と、パラレルケーブル１０６とを有する。
【００１２】
クライアントコンピュータ１０１は、ユーザが使用し、プリント要求とプリントデータとを送信する。送信されたデータは、イーサネット（登録商標）等のネットワーク１０５を通して、プリントサーバ１０２で受信される。
【００１３】
プリントサーバ１０２は、受信したプリント要求とプリントデータとを、ネットワークまたはパラレルケーブル１０６で接続されているカラー複写機１０３、白黒複写機１０４に、ページを振り分け、プリントする。
【００１４】
ここで、ネットワークまたはパラレルケーブル１０６は、ネットワーク１０５と同一であってもよい。また、本実施例では、プリントサーバ１０２には、カラー複写機１０３と白黒複写機１０４とがそれぞれ１台ずつ接続されているが、複写機を接続する代わりに、カラープリンタや白黒プリンタを接続するようにしてもよい。
【００１５】
図２は、上記実施例における白黒複写機１０４の断面図である。
【００１６】
白黒複写機１０４には、排紙後処理装置が装着されている。原稿給送装置２０１は、原稿を、先頭順に１枚ずつプラテンガラス２０２上に給送し、原稿の読み取り動作の終了後に、プラテンガラス２０２上から、原稿を移動させ、排出するものである。
【００１７】
原稿が、プラテンガラス２０２上に搬送されると、ランプ２０３を点灯し、スキャナユニット２０４の移動を開始させ、原稿を露光走査する。その際に、原稿からの反射光は、ミラー２０５、２０６、２０７と、レンズ２０８とによって、ＣＣＤイメージセンサ（以下、「ＣＣＤ」という）２０９へ導かれる。このようにして、走査された原稿の画像は、ＣＣＤ２０９に読み取られ、電気信号に変換される。
【００１８】
レーザドライバ２２１は、レーザ発光部２１０を駆動するものであり、出力画像データに応じたレーザ光をレーザ発光部２１０に発光させる。このレーザ光は、感光ドラム２１１に照射され、これによって、感光ドラム２１１上にレーザ光に応じた潜像が形成される。この感光ドラム２１１の潜像部分には、現像器２１２によって現像剤が付着される。
【００１９】
図２は、白黒複写機１０４の断面図であるので、現像器が１つしか記載されていないが、カラー複写機の場合は、イエロー、マゼンタ、シアン、ブラックの４色分の現像器が装着されている。
【００２０】
カラー／白黒複写機の断面図の構成としては、他に違いはない。そして、レーザ光の照射開始と同期したタイミングで、カセット２１３、２１４、または手差し給紙段２２０のいずれかから、記録紙を給紙し、転写部２１５へ搬送し、転写部２１５において、感光ドラム２１１の表面に付着していた現像剤を記録紙へ転写する。
【００２１】
現像剤が転写された記録紙は、定着部２１６へ搬送され、定着部２１６において、熱と圧力とによって、現像剤が記録紙に定着される。定着部２１６を通過した記録紙は、排出ローラ２１７によって排出されるか、または両面記録モードが設定されている場合は、排出ローラ２１７まで記録紙を搬送した後に、排出ローラ２１７の回転方向を逆転させ、フラッパ２１８によって再給紙搬送路２１９へ導く。再給紙搬送路２１９に導かれた記録紙は、上記タイミングで再度、転写部２１５へ給紙される。
【００２２】
Ｚ折りユニット２２６が、複写機本体に装備されている場合、操作部（図示せず）からの操作に応じて、Ｚ折りユニットへ記録紙が搬送され、Ｚ折り処理が行われる。
【００２３】
フィニッシャ２２０が装備されている場合、排出された記録紙を束ね、記録紙の仕分け（フィニッシング）をし、ユーザからの指定に応じて、パンチャ２２３では記録紙のパンチ穴あけが行われ、ステイプラ２２４ではステイプル処理が行われる。
【００２４】
また、サドルステッチャ２２５を使用すると、記録紙の中央部をステッチし、その中央部で二つ折りにすることによって、記録紙の製本化が行われる。インサータ２２２からは、予め印刷された記録紙を、表紙や合紙として給紙することが可能であり、プリンタ部の記録紙経路を通ることがないので、用紙を傷めず搬送することができる。
【００２５】
白黒／カラーのページが混在しているプリントデータを、カラーページは、カラー複写機で、白黒ページは、白黒複写機を使って、順番にプリントする場合には、カラー→白黒の順にプリントするパターンと、白黒→カラーの順でプリントするパターンとがある。前者を白黒ベース、後者をカラーベースと称する。
【００２６】
図３は、画像プリントシステムＰＳ１における白黒ベースの動作の流れを示す図である。
【００２７】
まず、プリントサーバ１０２に、５ページ３部の白黒／カラー混在ＰＤＬデータが入力される（３ａ）。プリントサーバ１０２では、白黒またはカラーのどちらをベースとするかを、接続されている複写機やプリンタの装備状況等から決定する。図３に示す場合、カラー複写機１０３は、インサータを装備してなく、一方、白黒複写機１０４は、インサータを装備しているので、白黒ベースで処理を実行すると判断し、まずカラーページのデータをカラー複写機１０３に送信し、プリント実行する（３ｂ）。
【００２８】
カラー複写機１０３がメモリやハードディスクを装備し、画像のスプールが可能であれば、画像送信（３ｂ）を、まとめて１回実行するのみで足りる。
【００２９】
図３に示す例では、「１→４」と１度だけ送れば足りる。逆に、画像のスプールが不可能であれば、図３において、「１→４→１→４→１→４」と、ページを部数の回数だけ、カラー複写機１０３に、画像を送信する必要がある。また、この時点で、プリントサーバ１０２は、１ページ目のカラー画像（図３に示す例では、「１」）のサムネイル画像を作成する。
【００３０】
次に、カラー複写機１０３の出力結果を、そのまま白黒複写機１０４のインサータ（または手差し給紙段）にセットする（３ｄ）が、その際に、プリントサーバ１０２は、上で作成したサムネイル画像を、白黒複写機１０４に送信し、白黒複写機１０４は、受信したサムネイル画像を、図示しない操作部上に表示する。
【００３１】
また、インサータ（または手差し給紙段）にセットされるカラー複写機１０３のプリント出力結果の向きに合うように、上記操作部上に表示するサムネイル画像の向きを、回転する。
【００３２】
つまり、ユーザは、操作部に表示されているサムネイル画像の向きに合わせてインサータ（または手差し給紙段）に、カラープリントをセットすればよい。そして、サーバ上からトリガをかけ、白黒ページのデータを送信する（３ｃ）。このときに、（３ｃ）で送信するデータには、カラーページデータはないが、（３ｄ）でセットした場所から給紙するという情報を、カラーページデータの場所に付加する。
【００３３】
白黒複写機１０４が、メモリやハードディスクを装備し、画像のスプールが可能であれば、（３ｄ）に先行して、白黒ページデータを白黒複写機１０４に予め送信し（３ｃ）、白黒複写機１０４の操作パネル上から出力トリガをかけるようにしてもよい。
【００３４】
逆に、白黒複写機１０４に画像をスプールさせることが不可能であれば、カラー複写機１０３のプリント出力結果が白黒複写機１０４のインサータ（または手差し給紙段）にセットされるのを待ってから、プリントサーバ１０２が、白黒複写機１０４に、白黒ページデータまたはカラーページ挿入要求を送信する。
【００３５】
また、その際には、部数の回数だけ、ページデータを、白黒複写機１０４に送信する必要がある。図３に示す例では、「挿入→２→３→挿入→５」を３回繰り返して送信する。これによって、白黒ページを受信し（３ｃ）、セットしたカラーページを挿入しつつ、白黒ページをプリントする（３ｄ）ことによって、白黒複写機１０４から、５ページ３部でソートされた白黒カラー混在出力を得ることができる（３ｅ）。
【００３６】
図４は、画像プリントシステムＰＳ１におけるカラーベースの動作の流れを示す図である。
【００３７】
まず、プリントサーバ１０２に、５ページ３部の白黒カラー混在ＰＤＬデータが入力される（４ａ）。プリントサーバ１０２では、白黒またはカラーのどちらをベースとするかを、接続されている複写機やプリンタの装備状況等に基づいて決定する。図４に示す例では、白黒複写機１０４は、インサータを装備してなく、一方、カラー複写機１０３は、インサータを装備しているので、カラーベースで処理を実行すると判断し、まず、白黒ページのデータを白黒複写機１０４に送信し（４ｂ）、プリントを実行する。
【００３８】
白黒複写機１０４が、メモリやハードディスクを装備し、画像のスプールが可能であれば、画像送信（４ｂ）は、まとめて１回のみで足りる。図４に示す例では、「２→３→５」と１度送れば足りる。逆に、画像のスプールが不可能であれば、図４に示す例では、「２→３→５→２→３→５→２→３→５」と、ページを部数の回数だけ、白黒複写機１０４に画像を送信する必要がある。
【００３９】
また、この時点で、プリントサーバ１０２は、１ページ目の白黒画像（図４に示す例では、「２」）のサムネイル画像を作成する。
【００４０】
次に、白黒複写機１０４の出力結果を、そのままカラー複写機１０３のインサータ（または手差し給紙段）にセットする（４ｄ）が、その際に、プリントサーバ１０２は、上で作成した白黒ページのサムネイル画像を、カラー複写機１０３に送信し、カラー複写機１０３は、受信したサムネイル画像を、図示しない操作部上に表示する。
【００４１】
また、インサータ（または手差し給紙段）にセットされる白黒複写機１０４のプリント出力結果に合うように、上記操作部上に表示するサムネイル画像の向きを、回転する。つまり、ユーザは、操作部に表示されているサムネイルの画像の向きに合わせて、インサータ（または手差し給紙段）に、白黒プリントをセットすれば足りる。そして、サーバ上からトリガをかけ、カラーページのデータを送信する（４ｃ）。このときに、（４ｃ）で送信するデータには、白黒ページデータはないが、白黒ページデータの場所には、（４ｄ）でセットした場所から給紙するという情報を付加する。
【００４２】
カラー複写機１０３が、メモリやハードディスクを装備し、画像のスプールが可能であれば、（４ｄ）に先行して、カラーページデータをカラー複写機１０３に予め送信し（４ｃ）、カラー複写機１０３の操作パネル上から出力トリガをかけるようにしてもよい。
【００４３】
逆に、カラー複写機１０３に画像をスプールさせることが不可能であれば、白黒複写機１０４のプリント出力結果が、カラー複写機１０３のインサータ（または手差し給紙段）にセットされるのを待ってから、プリントサーバ１０２が、カラー複写機１０３に、カラーページデータまたは白黒ページの挿入要求を送信する。
【００４４】
また、その際に、ページデータを部数の回数だけ、カラー複写機１０３に送信する必要がある。図４に示す例では、「１→挿入→挿入→４→挿入」を３回繰り返して送信する。これによって、カラーページを受信し（４ｃ）、セットした白黒ページを挿入しつつ、カラーページをプリントする（４ｄ）ことによって、カラー複写機１０３から、５ページ３部でソートされた白黒カラー混在出力を得る（４ｅ）ことができる。
【００４５】
図５は、画像プリントシステムＰＳ１において、画像の入力から出力までの動作を示すフローチャートである。
【００４６】
なお、図５中のＳ５０１〜Ｓ５１２は、各ステップを示す。
【００４７】
Ｓ５０１では、クライアントコンピュータ１０１から、白黒／カラー混在ＰＤＬデータを、プリントサーバ１０２が受信し、白黒、カラーのうちで、どちらをベースにするかを、カラー複写機１０３と白黒複写機１０４との装備状況、デフォルト設定に基づいて決定し、Ｓ５０２に進む。
【００４８】
Ｓ５０２では、Ｓ５０１で決定したベースが白黒であれば、Ｓ５０３に進み、Ｓ５０１で決定したベースが白黒でなければ、Ｓ５０７に進む。
【００４９】
Ｓ５０３では、プリントサーバ１０２から、カラー複写機１０３に、カラーページデータのみを送信し、カラー複写機１０３では、カラーページをプリントし、Ｓ５０４に進む。また、ここで、プリントサーバ１０２が、カラーの１ページ目のサムネイル画像を作成する。
【００５０】
Ｓ５０４では、作成したカラーページのサムネイル画像を、白黒複写機１０４に送信し、Ｓ５０５に進む。
【００５１】
Ｓ５０５では、カラー複写機１０３でプリントした出力用紙を、そのまま白黒複写機１０４のインサータまたは手差し給紙段にセットし、Ｓ５０６に進む。
【００５２】
Ｓ５０６では、プリントサーバ１０２から受信した白黒ページを、プリントし、カラーページ部分を、Ｓ５０５でセットしたインサータ（または手差し給紙段）から給紙し、挿入することによって、目的の白黒カラー混在出力結果を得る。
【００５３】
Ｓ５０７では、Ｓ５０１で決定したベースがカラーであれば、Ｓ５０８に進み、Ｓ５０１で決定したベースがカラーでなければ、Ｓ５１２に進む。
【００５４】
Ｓ５０８では、プリントサーバ１０２から、白黒複写機１０４に、白黒ページデータのみを送信し、白黒複写機１０４では、白黒ページをプリントし、Ｓ５０９に進む。また、ここで、プリントサーバ１０２が、白黒の１ページ目のサムネイル画像を作成する。
【００５５】
Ｓ５０９では、作成した白黒ページのサムネイル画像をカラー複写機１０３に送信し、Ｓ５１０に進む。
【００５６】
Ｓ５１０では、白黒複写機１０４がプリントした出力用紙を、そのままカラー複写機１０３のインサータ（または手差し給紙段）にセットし、Ｓ５１１に進む。
【００５７】
Ｓ５１１では、プリントサーバ１０２から受信したカラーページを、プリントし、白黒ページ部分は、Ｓ５１０でセットしたインサータ（または手差し給紙段）から給紙し、挿入することによって、目的の白黒カラー混在出力結果を得る。
【００５８】
Ｓ５１２では、ベースが白黒でもカラーでもないので、カラーページをカラー複写機１０３でプリントし、白黒ページを白黒複写機１０４でプリントする。
【００５９】
図６は、画像プリントシステムＰＳ１がベースを決定する動作（白黒、カラーのうちで、どちらをベースにするかを決定する動作）（Ｓ５０１）を示すフローチャートの一例を示す図である。
【００６０】
なお、図中のＳ６０１〜Ｓ６１０は各ステップを示す。
【００６１】
Ｓ６０１では、白黒複写機１０４がインサータを有するか否かをチェックし、インサータを有する場合、Ｓ６０２に進み、インサータを有しない場合、Ｓ６０３に進む。
【００６２】
Ｓ６０２では、ベースを、白黒ベースにセットする。
【００６３】
Ｓ６０３では、カラー複写機１０３がインサータを有するか否かをチェックし、インサータを有する場合、Ｓ６０４に進み、インサータを有しない場合、Ｓ６０５に進む。
【００６４】
Ｓ６０４では、ベースをカラーベースにセットし、Ｓ６０５では、ベースデフォルト設定を読み出し、Ｓ６０６に進む。
【００６５】
Ｓ６０６では、Ｓ６０５で読み出したベースのデフォルト設定が白黒であれば、Ｓ６０７に進み、Ｓ６０５で読み出したベースのデフォルト設定が白黒でなければ、Ｓ６０８に進む。
【００６６】
Ｓ６０７では、ベースを白黒ベースにセットする。
【００６７】
Ｓ６０８では、Ｓ６０５で読み出したベースのデフォルト設定がカラーであれば、Ｓ６０９に進み、Ｓ６０５で読み出したベースのデフォルト設定がカラーでなければ、Ｓ６１０に進む。
【００６８】
Ｓ６０９では、ベースをカラーベースにセットし、Ｓ６１０では、ベースをなしにセットする。
【００６９】
なお、図６について説明したフローチャートでは、白黒複写機、カラー複写機ともに、インサータを装備していた場合に白黒ベースであると判定することからも解るように、白黒複写機を優先するが、これとは逆に、カラー複写機を優先するようにしてもよい。
【００７０】
図７は、画像プリントシステムＰＳ１において、カラーページプリントの動作を示すフローチャートであり、Ｓ５０３を詳細に示すフローチャートである。
【００７１】
なお、図中のＳ７０１〜Ｓ７１０は各ステップを示す。
【００７２】
Ｓ７０１では、１ページずつ、ページデータを読み出し、Ｓ７０２に進む。
【００７３】
Ｓ７０２では、Ｓ７０１で読み出したページデータがカラーデータであれば、Ｓ７０３に進み、Ｓ７０１で読み出したページデータがカラーデータでなければ、Ｓ７０８に進む。
【００７４】
Ｓ７０３では、カラーページの１ページ目であるか否かを判定する。１ページ目であれば、Ｓ７０４に進み、１ページ目でなければ、Ｓ７０５に進む。
【００７５】
Ｓ７０４では、カラーページの１ページ目のサムネイル画像を作成し、この際に、図示しない操作部に表示可能なサイズで、サムネイル画像を作成する。また、操作部がカラー表示できない場合には、白黒のサムネイル画像を作成する。
【００７６】
Ｓ７０５では、後で実行する白黒ページをプリントする時点で、インサータ（または手差し給紙段）から現カラーページを給紙することができるように、白黒／カラー混在ＰＤＬデータ内での現カラーページのページ番号を記憶し、Ｓ７０６に進む。
【００７７】
Ｓ７０６では、Ｓ７０１で読み出したページデータを、カラー複写機１０３に送信し、Ｓ７０７に進み、Ｓ７０７では、プリントサーバ１０２から受信したカラーページデータを、カラー複写機１０３でプリントし、Ｓ７１０に進む。
【００７８】
Ｓ７０８では、プリントサーバ１０２に接続されている白黒複写機１０４が、画像をスプールするメモリやハードディスクを装備しているか否かをチェックし、装備していれば、Ｓ７０９に進み、装備していなければ、Ｓ７１０に進む。
【００７９】
Ｓ７０９では、Ｓ７０１で読み出したページデータを、白黒複写機１０４に送信し、白黒複写機１０４のメモリまたはハードディスクに入力し、Ｓ７１０に進む。
【００８０】
Ｓ７１０では、プリントサーバ１０２から読み出したページデータが、最終ページであるか否かを判断し、最終ページでなければ、Ｓ７０１に進む。
【００８１】
図８は、画像プリントシステムＰＳ１における白黒ページプリントの動作を示すフローチャートであり、Ｓ５０８の詳細動作を示すフローチャートである。
【００８２】
なお、図中のＳ８０１〜Ｓ８１０は、各ステップを示す。
【００８３】
Ｓ８０１では、１ページずつページデータを読み出し、Ｓ８０２に進む。
【００８４】
Ｓ８０２では、Ｓ８０１で読み出したページデータが白黒データであれば、Ｓ８０３に進み、Ｓ８０１で読み出したページデータが白黒データでなければ、Ｓ８０８に進む。
【００８５】
Ｓ８０３では、白黒ページの１ページ目であるか否かを判定し、１ページ目であれば、Ｓ８０４に進み、１ページ目でなければ、Ｓ８０５に進む。
【００８６】
Ｓ８０４では、白黒ページの１ページ目のサムネイル画像を作成し、この際に、図示しない操作部に表示可能なサイズで、サムネイル画像を作成する。
【００８７】
図９は、上記実施例において、サムネイルを表示する例を示す図である。
【００８８】
Ｓ８０５では、後で実行するカラーページをプリントする時点で、インサータ（または手差し給紙段）から、現白黒ページを給紙することができるように、白黒／カラー混在ＰＤＬデータ内における現白黒ページのページ番号を記憶し、Ｓ８０６に進む。
【００８９】
Ｓ８０６では、Ｓ８０１で読み出したページデータを、白黒複写機１０４に送信し、Ｓ８０７に進み、Ｓ８０７では、プリントサーバ１０２から受信した白黒ページデータを白黒複写機１０４でプリントし、Ｓ８１０に進む。
【００９０】
Ｓ８０８では、プリントサーバ１０２に接続されているカラー複写機１０３が画像をスプールするメモリやハードディスクを装備しているか否かチェックし、装備していれば、Ｓ８０９に進み、装備していなければ、Ｓ８１０に進む。
【００９１】
Ｓ８０９では、Ｓ８０１で読み出したページデータを、カラー複写機１０３に送信し、カラー複写機１０３のメモリまたはハードディスクに入力し、Ｓ８１０に進む。
【００９２】
Ｓ８１０では、プリントサーバ１０２から読み出したページデータが、最終ページであるか否かを判断し、最終ページでなければ、Ｓ８０１に進む。
【００９３】
図１０は、画像プリントシステムＰＳ１におけるインサートプリントの動作を示すフローチャートであり、Ｓ５０６とＳ５１１との詳細な動作を示すフローチャートである。
【００９４】
なお、図中のＳ９０１〜Ｓ９０５は各ステップを示す。
【００９５】
Ｓ９０１では、カラーベースであれば、カラー複写機１０３が、白黒ベースであれば、白黒複写機１０４が、各メモリまたはハードディスクから（それらが装備されていない場合には、プリントサーバ１０２から）、ページデータを受信し、読み出し、Ｓ９０２に進む。
【００９６】
Ｓ９０２では、読み出したページデータが、インサータ（または手差し給紙段）からの給紙要求であれば、Ｓ９０３に進み、給紙要求でなければ、Ｓ９０４に進み、Ｓ９０３では、インサータ（または手差し給紙段）から、用紙を１枚給紙し、Ｓ９０５に進む。
【００９７】
Ｓ９０４では、Ｓ９０１で読み出したページデータをプリントし、Ｓ９０５に進み、Ｓ９０５では、Ｓ９０１で読み出したページデータが、最終ページであるか否かを判断し、最終ページでなければ、Ｓ９０１に進む。
【００９８】
上記実施例によれば、白黒／カラー混在ＰＤＬデータを、白黒プリンタ処理とカラープリンタ処理とに分ける画像プリントシステムにおいて、インサート用紙の置き方を表示するので、ユーザがインサート用紙を間違った向きでセットすることを回避することができる。
【００９９】
上記実施例において、上記カラープリンタは、定着器を通らない紙パスを具備するインサータを有し、上記白黒プリンタは、定着器を通らない紙パスを具備するインサータを有する。また、上記プリントサーバは、接続されているプリンタの装備状況に応じて、カラー、白黒のいずれを先にプリントするかを決定するサーバである。さらに、上記プリントサーバは、接続されているプリンタが、画像データのスプール機能を有するか否かに応じて、画像の送信方法を変更するサーバである。そして、上記サムネイル画像の表示手段は、上記白黒プリンタ、上記カラープリンタの少なくとも一方に設けられている操作部パネルである。
【０１００】
なお、上記実施例を次の実施形態として把握することができる。
【０１０１】
［実施形態１］  コンピュータからの入力画像をカラーでプリント出力するカラープリンタと、コンピュータからの入力画像を白黒でプリント出力する白黒プリンタと、コンピュータからの入力プリントデータを画像データに変換し、変換した画像データを上記カラープリンタと上記白黒プリンタとに送信し、プリント出力させるプリントサーバとを具備する画像プリントシステムにおいて、
上記プリントサーバは、
上記入力プリントデータが、白黒ページとカラーページとが混在しているプリントデータであるか否かを判別する判別手段と；
上記入力プリントデータが白黒／カラーの混在データである場合に、白黒ページとカラーページとに分割する白黒／カラーのページ分割手段と；
上記入力プリントデータ内で、白黒ページとカラーページとの並び順を記憶するページ順記憶手段と；
白黒ページを上記白黒プリンタにプリント出力し、カラーページを上記カラープリンタにプリント出力することが可能であり、白黒／カラー混在プリントデータについて、白黒ページ、カラーページのいずれか一方のみを先にプリント出力し、この出力結果をインサートしながら、他方をプリント出力するプリント出力制御手段と；
画像データを縮小してサムネイル画像を作成するサムネイル作成手段と；
を有し、上記白黒プリンタ、カラープリンタの少なくとも一方は、サムネイル画像を表示し、上記白黒プリンタまたは上記カラープリンタは、上記インサートプリントの開始前に、インサートするプリントの置き向きに合わせて、サムネイル画像を表示することを特徴とする画像プリントシステム。
【０１０２】
［実施形態２］  実施形態１において、
上記カラープリンタは、定着器を通らない紙パスを具備するインサータを有するプリンタであることを特徴とする画像プリントシステム。
【０１０３】
［実施形態３］  実施形態１において、
上記白黒プリンタは、定着器を通らない紙パスを具備するインサータを有するプリンタであることを特徴とする画像プリントシステム。
【０１０４】
［実施形態４］  実施形態１において、
上記プリントサーバは、接続されているプリンタの装備状況に応じて、カラー、白黒のいずれを先にプリントするかを決定するサーバであることを特徴とする画像プリントシステム。
【０１０５】
［実施形態５］  実施形態１において、
上記プリントサーバは、接続されているプリンタが、画像データのスプール機能を有するか否かに応じて、画像の送信方法を変更するサーバであることを特徴とする画像プリントシステム。
【０１０６】
［実施形態６］  実施形態１において、
上記サムネイル画像の表示手段は、上記白黒プリンタ、上記カラープリンタの少なくとも一方に設けられている操作部パネルであることを特徴とする画像プリントシステム。
【０１０７】
【発明の効果】
本発明によれば、白黒／カラー混在ＰＤＬデータを、白黒プリンタ処理とカラープリンタ処理とに分ける画像プリントシステムにおいて、インサート用紙の置き方を表示するので、ユーザがインサート用紙を間違った向きでセットすることを回避することができるという効果を奏する。
【図面の簡単な説明】
【図１】本発明の一実施例である画像プリントシステムＰＳ１の全体構成を示す図である。
【図２】上記実施例における白黒複写機１０４の断面図である。
【図３】画像プリントシステムＰＳ１における白黒ベースの動作の流れを示す図である。
【図４】画像プリントシステムＰＳ１におけるカラーベースの動作の流れを示す図である。
【図５】画像プリントシステムＰＳ１において、画像の入力から出力までの動作を示すフローチャートである。
【図６】画像プリントシステムＰＳ１がベースを決定する動作（白黒、カラーのうちで、どちらをベースにするかを決定する動作）（Ｓ５０１）を示すフローチャートの一例を示す図である。
【図７】画像プリントシステムＰＳ１において、カラーページプリントの動作を示すフローチャートであり、Ｓ５０３を詳細に示すフローチャートである。
【図８】画像プリントシステムＰＳ１における白黒ページプリントの動作を示すフローチャートであり、Ｓ５０８の詳細動作を示すフローチャートである。
【図９】上記実施例において、サムネイルを表示する例を示す図である。
【図１０】画像プリントシステムＰＳ１におけるインサートプリントの動作を示すフローチャートであり、Ｓ５０６とＳ５１１との詳細な動作を示すフローチャートである。
【符号の説明】
ＰＳ１…画像プリントシステム、
１０１…クライアントコンピュータ、
１０２…プリントサーバ、
１０３…カラー複写機、
１０４…白黒複写機、
１０５…ネットワーク、
１０６…パラレルケーブル。
【図１】
2004234048.tif 000003
【図２】
2004234048.tif 000004
【図３】
2004234048.tif 000005
【図４】
2004234048.tif 000006
【図５】
2004234048.tif 000007
【図６】
2004234048.tif 000008
【図７】
2004234048.tif 000009
【図８】
2004234048.tif 000010
【図９】
2004234048.tif 000011
【図１０】
2004234048.tif 000012